(57)【特許請求の範囲】
【請求項１】
電力を用いて所定の処理を実行する処理実行手段と、
外部電源から供給される電力を前記処理実行手段に供給する電力供給手段であって、前記電力供給手段への前記外部電源からの電力供給が再開された場合、前記電力供給手段への電力供給が前回停止した際に前記処理実行手段への電力供給が行われていたときには、前記処理実行手段への電力供給を開始し、前記電力供給手段への電力供給が前回停止した際に前記処理実行手段への電力供給が行われていなかったときには、前記処理実行手段への電力供給を開始しない電力供給手段と、
を有し、
前記電力供給手段は、
前記電力供給手段への電力供給が停止した際に前記処理実行手段への電力供給が行われていたことを示す第１の状態、または前記電力供給手段への電力供給が停止した際に前記処理実行手段への電力供給が行われていなかったことを示す第２の状態を保持する状態保持手段と、
前記外部電源から供給される電力を前記処理実行手段に対して供給または遮断するスイッチ手段であって、前記電力供給手段への電力供給が開始された場合、前記状態保持手段が前記第１の状態にあるときには、前記処理実行手段への電力供給を開始し、前記状態保持手段が前記第２の状態にあるときには、前記処理実行手段への電力供給を開始しないスイッチ手段と、
を含み、
前記電力供給手段は、当該電力供給手段に電力が供給されており、前記処理実行手段に電力が供給されていない場合、外部からの入力に応じて、前記処理実行手段への電力供給を開始し、
前記処理実行手段は、前記電力供給手段から当該処理実行手段への電力供給が開始された場合、前記外部からの入力に応じて当該処理実行手段への電力供給が開始されたか、または前記電力供給手段への電力供給の再開に応じて当該処理実行手段への電力供給が開始されたかを判断し、前記外部からの入力に応じて当該処理実行手段への電力供給が開始されたと判断したときには、第１の動作モードに起動し、前記電力供給手段への電力供給の再開に応じて当該処理実行手段への電力供給が開始されたと判断したときには、前記第１の動作モードと異なる第２の動作モードに起動することを特徴とする電子機器。
【請求項２】
前記処理実行手段は、前記状態保持手段の状態に基づいて、前記外部からの入力に応じて当該処理実行手段への電力供給が開始されたか、または前記電力供給手段への電力供給の再開に応じて当該処理実行手段への電力供給が開始されたかを判断することを特徴とする請求項１に記載の電子機器。
【請求項３】
前記状態保持手段は、電力を保持する電力保持手段と、当該電力保持手段を電源として前記第１または第２の状態を保持する自己保持回路と、を含み、
前記スイッチ手段は、前記自己保持回路の状態に応じて、前記外部電源と前記処理実行手段との間を電気的に接続または遮断するスイッチ素子を含む、
ことを特徴とする請求項１または２に記載の電子機器。
【請求項４】
前記スイッチ手段は、前記処理実行手段への電力供給を開始した場合に、当該電力供給状態を自己保持する自己保持回路を含むことを特徴とする請求項１から３のいずれか１項に記載の電子機器。
【請求項５】
前記電力供給手段は、前記外部からの入力としてユーザからの操作を受け付ける操作受付手段を含み、当該操作受付手段により前記操作が受け付けられた場合に、前記電力供給を開始することを特徴とする請求項１から４のいずれか１項に記載の電子機器。
【請求項６】
前記電力供給手段は、前記外部からの入力として外部装置からの信号を受信する受信手段を含み、当該受信手段により前記信号が受信された場合に、前記電力供給を開始することを特徴とする請求項１から５のいずれか１項に記載の電子機器。
【請求項７】
前記第１の動作モードは、通常モードであり、前記第２の動作モードは、当該通常モードよりも消費電力の低い省電力モードであることを特徴とする請求項１から６のいずれか１項に記載の電子機器。
【請求項８】
前記処理実行手段は、実行中の処理に関する情報を記憶手段に記憶させ、前記処理実行手段への電力供給が開始された場合、前記記憶手段に前記実行中の処理に関する情報が記憶されているとき、当該情報を用いて当該処理を実行することを特徴とする請求項１から７のいずれか１項に記載の電子機器。
【請求項９】
前記処理実行手段は、前記電力供給手段から当該処理実行手段への電力供給が開始された場合、前記状態保持手段を前記第１の状態に設定することを特徴とする請求項１から８のいずれか１項に記載の電子機器。
【請求項１０】
前記処理実行手段は、前記電力供給手段から当該処理実行手段への電力供給が開始された場合、前記状態保持手段の状態に基づいて、前記外部からの入力に応じて当該処理実行手段への電力供給が開始されたか、または前記電力供給手段への電力供給の再開に応じて当該処理実行手段への電力供給が開始されたかを判断した後に、前記状態保持手段を前記第１の状態に設定することを特徴とする請求項９に記載の電子機器。
【請求項１１】
前記処理実行手段は、前記電力供給手段から当該処理実行手段への電力供給を停止する場合、前記状態保持手段を前記第２の状態に設定した後に、前記スイッチ手段を遮断状態にすることを特徴とする請求項１から１０のいずれか１項に記載の電子機器。
【請求項１２】
前記外部電源と前記電力供給手段との間に設けられ、前記外部電源からの電圧を前記電力供給手段に応じた電圧に変換して、前記外部電源からの電力を前記電力供給手段に供給する電源部をさらに有することを特徴とする請求項１から１１のいずれか１項に記載の電子機器。
【請求項１３】
前記処理実行手段は、
通信インタフェースと、
印刷部と、
前記通信インタフェースを介して上位装置からの印刷データを受信し、当該印刷データに基づいて前記印刷部に画像を印刷させる制御部と、
を含むことを特徴とする請求項１から１２のいずれか１項に記載の電子機器。
【請求項１４】
電力を用いて画像形成処理を実行する処理実行手段と、
外部電源から供給される電力を前記処理実行手段に供給する電力供給手段であって、前記電力供給手段への前記外部電源からの電力供給が再開された場合、前記電力供給手段への電力供給が前回停止した際に前記処理実行手段への電力供給が行われていたときには、前記処理実行手段への電力供給を開始し、前記電力供給手段への電力供給が前回停止した際に前記処理実行手段への電力供給が行われていなかったときには、前記処理実行手段への電力供給を開始しない電力供給手段と、
を有し、
前記電力供給手段は、
前記電力供給手段への電力供給が停止した際に前記処理実行手段への電力供給が行われていたことを示す第１の状態、または前記電力供給手段への電力供給が停止した際に前記処理実行手段への電力供給が行われていなかったことを示す第２の状態を保持する状態保持手段と、
前記外部電源から供給される電力を前記処理実行手段に対して供給または遮断するスイッチ手段であって、前記電力供給手段への電力供給が開始された場合、前記状態保持手段が前記第１の状態にあるときには、前記処理実行手段への電力供給を開始し、前記状態保持手段が前記第２の状態にあるときには、前記処理実行手段への電力供給を開始しないスイッチ手段と、
を含み、
前記電力供給手段は、当該電力供給手段に電力が供給されており、前記処理実行手段に電力が供給されていない場合、外部からの入力に応じて、前記処理実行手段への電力供給を開始し、
前記処理実行手段は、前記電力供給手段から当該処理実行手段への電力供給が開始された場合、前記外部からの入力に応じて当該処理実行手段への電力供給が開始されたか、または前記電力供給手段への電力供給の再開に応じて当該処理実行手段への電力供給が開始されたかを判断し、前記外部からの入力に応じて当該処理実行手段への電力供給が開始されたと判断したときには、第１の動作モードに起動し、前記電力供給手段への電力供給の再開に応じて当該処理実行手段への電力供給が開始されたと判断したときには、前記第１の動作モードと異なる第２の動作モードに起動することを特徴とする画像形成装置。
【発明の詳細な説明】
【技術分野】
【０００１】
本発明は、電子機器および画像形成装置に関する。
【背景技術】
【０００２】
非稼働時間が一定時間を超えた場合に省電力モードに移行し、消費電力を低減する画像処理装置がある（例えば、特許文献１参照）。
【先行技術文献】
【特許文献】
【０００３】
【特許文献１】特開２００９−１７８８５５号公報
【発明の概要】
【発明が解決しようとする課題】
【０００４】
ところで、例えば、電子機器への外部電源からの電力供給が停止した後、外部電源からの電力供給の再開に応じて電子機器が電源投入動作を行う場合（または起動する場合）、ユーザにとって利便性が高い。しかし、電力供給の再開に応じて常に電子機器が電源投入動作を行う場合（または起動する場合）、無駄な電力消費が生じる場合がある。
【０００５】
本発明は、利便性を向上させつつ、無駄な電力消費を抑制することが可能な電子機器および画像形成装置を提供することを目的とする。
【課題を解決するための手段】
【０００６】
本発明に係る電子機器は、電力を用いて所定の処理を実行する処理実行手段と、外部電源から供給される電力を前記処理実行手段に供給する電力供給手段であって、前記電力供給手段への前記外部電源からの電力供給が再開された場合、前記電力供給手段への電力供給が前回停止した際に前記処理実行手段への電力供給が行われていたときには、前記処理実行手段への電力供給を開始し、前記電力供給手段への電力供給が前回停止した際に前記処理実行手段への電力供給が行われていなかったときには、前記処理実行手段への電力供給を開始しない電力供給手段と、を有し、前記電力供給手段は、前記電力供給手段への電力供給が停止した際に前記処理実行手段への電力供給が行われていたことを示す第１の状態、または前記電力供給手段への電力供給が停止した際に前記処理実行手段への電力供給が行われていなかったことを示す第２の状態を保持する状態保持手段と、前記外部電源から供給される電力を前記処理実行手段に対して供給または遮断するスイッチ手段であって、前記電力供給手段への電力供給が開始された場合、前記状態保持手段が前記第１の状態にあるときには、前記処理実行手段への電力供給を開始し、前記状態保持手段が前記第２の状態にあるときには、前記処理実行手段への電力供給を開始しないスイッチ手段と、を含み、前記電力供給手段は、当該電力供給手段に電力が供給されており、前記処理実行手段に電力が供給されていない場合、外部からの入力に応じて、前記処理実行手段への電力供給を開始し、前記処理実行手段は、前記電力供給手段から当該処理実行手段への電力供給が開始された場合、前記外部からの入力に応じて当該処理実行手段への電力供給が開始されたか、または前記電力供給手段への電力供給の再開に応じて当該処理実行手段への電力供給が開始されたかを判断し、前記外部からの入力に応じて当該処理実行手段への電力供給が開始されたと判断したときには、第１の動作モードに起動し、前記電力供給手段への電力供給の再開に応じて当該処理実行手段への電力供給が開始されたと判断したときには、前記第１の動作モードと異なる第２の動作モードに起動することを特徴とする。
【０００７】
また、本発明に係る画像形成装置は、電力を用いて画像形成処理を実行する処理実行手段と、外部電源から供給される電力を前記処理実行手段に供給する電力供給手段であって、前記電力供給手段への前記外部電源からの電力供給が再開された場合、前記電力供給手段への電力供給が前回停止した際に前記処理実行手段への電力供給が行われていたときには、前記処理実行手段への電力供給を開始し、前記電力供給手段への電力供給が前回停止した際に前記処理実行手段への電力供給が行われていなかったときには、前記処理実行手段への電力供給を開始しない電力供給手段と、を有し、前記電力供給手段は、前記電力供給手段への電力供給が停止した際に前記処理実行手段への電力供給が行われていたことを示す第１の状態、または前記電力供給手段への電力供給が停止した際に前記処理実行手段への電力供給が行われていなかったことを示す第２の状態を保持する状態保持手段と、前記外部電源から供給される電力を前記処理実行手段に対して供給または遮断するスイッチ手段であって、前記電力供給手段への電力供給が開始された場合、前記状態保持手段が前記第１の状態にあるときには、前記処理実行手段への電力供給を開始し、前記状態保持手段が前記第２の状態にあるときには、前記処理実行手段への電力供給を開始しないスイッチ手段と、を含み、前記電力供給手段は、当該電力供給手段に電力が供給されており、前記処理実行手段に電力が供給されていない場合、外部からの入力に応じて、前記処理実行手段への電力供給を開始し、前記処理実行手段は、前記電力供給手段から当該処理実行手段への電力供給が開始された場合、前記外部からの入力に応じて当該処理実行手段への電力供給が開始されたか、または前記電力供給手段への電力供給の再開に応じて当該処理実行手段への電力供給が開始されたかを判断し、前記外部からの入力に応じて当該処理実行手段への電力供給が開始されたと判断したときには、第１の動作モードに起動し、前記電力供給手段への電力供給の再開に応じて当該処理実行手段への電力供給が開始されたと判断したときには、前記第１の動作モードと異なる第２の動作モードに起動することを特徴とする。
【発明の効果】
【０００８】
本発明によれば、利便性を向上させつつ、無駄な電力消費を抑制することが可能な電子機器および画像形成装置を提供することができる。
【図面の簡単な説明】
【０００９】
【図１】実施の形態１における電子機器としての印刷装置の構成の一例を示すブロック図である。
【図２】実施の形態１における処理実行部の動作の一例を示すフローチャートである。
【図３】実施の形態１における電力供給部の具体的な構成の一例を示す回路図である。
【図４】実施の形態１における制御部の具体的な動作の一例を示すフローチャートである。
【図５】実施の形態２における電子機器としての印刷装置の構成の一例を示すブロック図である。
【図６】実施の形態２における制御部の印刷時の動作の一例を示すフローチャートである。
【図７】実施の形態２における制御部の電力供給開始後の動作の一例を示すフローチャートである。
【図８】実施の形態３における電子機器としての印刷装置の構成の一例を示すブロック図である。
【図９】実施の形態３における電力供給部の具体的な構成の一例を示す回路図である。
【発明を実施するための形態】
【００１０】
以下、本発明の実施の形態を図面に従って説明する。
実施の形態１．
図１は、実施の形態１における電子機器としての印刷装置１の構成の一例を示すブロック図である。この印刷装置１は、紙等の印刷媒体に画像を印刷する装置である。例えば、印刷装置１は、プリンタ機能、コピー機能、およびファクシミリ機能のうち、少なくとも１つの機能を有する装置である。図１の例では、印刷装置１は、上位装置（例えばホストコンピュータまたはパーソナルコンピュータ）２と通信可能に接続され、上位装置２からの印刷要求に応じて印刷を行うプリンタである。印刷装置１は、処理実行部１０および電力供給部２０を有する。
【００１１】
処理実行部１０は、電力供給部２０から供給される電力を用いて所定の処理を実行する。所定の処理は、具体的には電子機器本来の処理であり、本例では画像を形成する処理（具体的には印刷処理）である。処理実行部１０は、例えば電子機器の本体と呼ぶことができる。
【００１２】
電力供給部２０は、外部電源３から供給される電力を処理実行部１０に供給する。外部電源３は、例えば商用電源である。電力供給部２０は、処理実行部１０に電源を投入する電源投入部とも呼べる。
【００１３】
図１の例では、印刷装置１は電源部３０を備えており、外部電源３からの電力は電源部３０を介して電力供給部２０に供給される。電源部３０は、具体的には、外部電源３からの電圧（例えば交流電圧）を電力供給部２０に応じた電圧（例えば直流電圧）に変換して電力供給部２０に供給する回路である。
【００１４】
印刷装置１は、外部電源３からの電力が電力供給部２０に供給されている場合におけるモードとして、電力供給部２０から処理実行部１０に電力が供給されるモードである「ＯＮモード」と、電力供給部２０から処理実行部１０に電力が供給されないモードである「ＯＦＦモード」とを有する。図１において、ＯＮモードでは、処理実行部１０、電力供給部２０、および電源部３０に電源が供給され、ＯＦＦモードでは、電力供給部２０および電源部３０に電源が供給される。ＯＦＦモードは、例えば、電源スイッチ（図１ではＯＮ操作受付部２３）の操作を監視する部分にのみ電力供給されるモードである。ＯＦＦモードでは、印刷装置１の消費電力は例えば０．５Ｗ以下である。
【００１５】
電力供給部２０は、印刷装置１のモードをＯＮモードに移行させる動作（電源投入動作）を行う。具体的には、電力供給部２０は、当該電力供給部２０への外部電源３からの電力供給が再開された場合、電力供給部２０への電力供給が前回停止した際に処理実行部１０への電力供給が行われていたときには、処理実行部１０への電力供給を開始し、電力供給部２０への電力供給が前回停止した際に処理実行部１０への電力供給が行われていなかったときには、処理実行部１０への電力供給を開始しない。すなわち、電力供給部２０は、電力供給部２０への電力供給が再開された場合、電力供給が前回停止した際にＯＮモードであったときには、処理実行部１０への電力供給を開始し、電力供給部２０への電力供給が前回停止した際にＯＦＦモードであったときには、処理実行部１０への電力供給を開始しない。したがって、ＯＮモード中に電力供給部２０への電力供給が停止した場合には、その後電力供給が再開されたときにＯＮモードとなり、ＯＦＦモード中に電力供給部２０への電力供給が停止した場合には、その後電力供給が再開されたときにＯＦＦモードとなる。電力供給部２０への電力供給が停止した場合としては、例えば、外部電源３が停電した場合や、印刷装置１の電源ケーブルＣ１が外部電源３のコンセントから抜かれた場合があり、電力供給部２０への電力供給が再開された場合としては、例えば、外部電源３が停電から復旧した場合や、印刷装置１の電源ケーブルＣ１が外部電源３のコンセントに差し込まれた場合がある。
【００１６】
図１に示されるように、具体的には、電力供給部２０は、状態保持部２１およびスイッチ部２２を含む。
【００１７】
状態保持部２１は、電力供給部２０への電力供給が停止した際に処理実行部１０への電力供給が行われていたことを示す第１の状態、または電力供給部２０への電力供給が停止した際に処理実行部１０への電力供給が行われていなかったことを示す第２の状態を保持する。図１では、状態保持部２１は、電力を保持する電力保持部２１ａと、当該電力保持部２１ａを電源として上記第１または第２の状態を保持する自己保持回路２１ｂとを含む電子回路である。電力保持部２１ａは、具体的には電池やコンデンサなどである。例えば、コンデンサの場合、数分から数日間の保持が可能であり、電池の場合、それ以上の期間の保持が可能である。
【００１８】
状態保持部２１の状態は、例えば処理実行部１０により設定される。この場合、処理実行部１０は、例えば、電力供給部２０からの電力供給を停止する際に（すなわちＯＦＦモードへ移行する際に）、状態保持部２１を第２の状態に設定し、電力供給部２０からの電力供給が開始された際に（すなわちＯＮモードへ移行した際に）、状態保持部２１を第１の状態に設定する。ただし、状態保持部２１は、スイッチ部２２からの信号やユーザからの操作などに基づいて状態が設定されるように構成されてもよい。
【００１９】
スイッチ部２２は、外部電源３から供給される電力を処理実行部１０に対して供給または遮断するものであり、電力供給部２０への電力供給が開始された場合、状態保持部２１が第１の状態にあるときには、処理実行部１０への電力供給を開始し、状態保持部２１が第２の状態にあるときには、処理実行部１０への電力供給を開始しない。スイッチ部２２は、例えば、自己保持回路２１ｂの状態に応じて、外部電源３と処理実行部１０との間を電気的に接続または遮断するスイッチ素子２２ａを含む電子回路である。スイッチ素子２２ａは、外部電源３からの電力供給が開始された場合、状態保持部２１が第１の状態にあるときには、外部電源３と処理実行部１０との間を接続し、状態保持部２１が第２の状態にあるときには、外部電源３と処理実行部１０との間を遮断する。一つの態様では、スイッチ部２２は、処理実行部１０への電力供給を開始した場合に、当該電力供給状態を自己保持する自己保持回路２２ｂを含む。自己保持回路２２ｂは、例えば、スイッチ素子２２ａを含み、スイッチ素子２２ａのＯＮ状態を自己保持する回路である。外部電源３からの電力供給が停止した場合や、リセット信号（例えば電源ＯＦＦ信号）が供給された場合には、自己保持回路２２ｂの自己保持状態が解除され、スイッチ素子２２ａはＯＦＦ状態となる。
【００２０】
電力供給部２０は、一つの態様では、当該電力供給部２０に電力が供給されており、処理実行部１０に電力が供給されていない場合、外部からの入力に応じて、処理実行部１０への電力供給を開始する。すなわち、電力供給部２０は、ＯＦＦモードにおいて、外部からの入力に応じて、印刷装置１のモードをＯＮモードへ移行させる動作（電源投入動作）を行う。本実施の形態では、電力供給部２０は、上記外部からの入力としてユーザからの電源ＯＮ操作を受け付けるＯＮ操作受付部２３を含み、当該ＯＮ操作受付部２３により電源ＯＮ操作が受け付けられた場合に、処理実行部１０への電力供給を開始する。例えば、電力供給部２０は、ＯＮ操作受付部２３に対する電源ＯＮ操作に応じてスイッチ素子２２ａがＯＮ状態となるように構成される。ＯＮ操作受付部２３は、例えば、ユーザからの押下操作を受け付ける押しボタン式の電源スイッチである。
【００２１】
また、電力供給部２０は、処理実行部１０に電力が供給されている場合、外部からの入力に応じて、処理実行部１０への電力供給を停止する。すなわち、電力供給部２０は、ＯＮモードにおいて、外部からの入力に応じて、印刷装置１のモードをＯＦＦモードへ移行させる動作（電源遮断動作）を行う。例えば、電力供給部２０は、上記外部からの入力としてユーザからの電源ＯＦＦ操作を受け付けるＯＦＦ操作受付部２４を含み、当該ＯＦＦ操作受付部２４により電源ＯＦＦ操作が受け付けられた場合に、処理実行部１０への電力供給を停止する。例えば、処理実行部１０は、ＯＦＦ操作受付部２４に対する電源ＯＦＦ操作を検知すると、所定の終了処理を行った後、電力供給部２０に電源ＯＦＦ信号を出力するように構成され、電力供給部２０は、処理実行部１０からの電源ＯＦＦ信号に応じてスイッチ素子２２ａがＯＦＦ状態となるように構成される。ＯＦＦ操作受付部２４は、例えば、ユーザからの押下操作を受け付ける押しボタン式の電源スイッチである。ＯＮ操作受付部２３およびＯＦＦ操作受付部２４は、同一のスイッチにより実現されてもよい。
【００２２】
一つの態様では、電力供給部２０は、実質的に、電源投入動作のみ、または、電源投入動作および電源遮断動作のみを行う部分である。例えば、電力供給部２０は、電力供給の再開に応じて処理実行部１０に電源を投入する動作、外部からの入力に応じて処理実行部１０に電源を投入する動作、外部からの入力に応じて処理実行部１０への電源を遮断する動作のみを行う。
【００２３】
処理実行部１０は、電力供給部２０からの電力供給が開始されると起動する。一つの態様では、処理実行部１０は、外部からの入力に応じて処理実行部１０への電力供給が開始された場合と、電力供給部２０への電力供給の再開に応じて処理実行部１０への電力供給が開始された場合とで、互いに異なる動作モードに起動する。具体的には、処理実行部１０は、動作モードとして、「通常モード」と、当該通常モードよりも消費電力の低い（消費電力を抑えた）「省電力モード」とを有し、外部からの入力に応じて電力供給が開始された場合には通常モードに起動し、電力供給部２０への電力供給の再開に応じて電力供給が開始された場合には省電力モードに起動する。省電力モードでは、例えば通常モードで通電される所定の負荷（例えば定着ヒータ）に対する電力供給が停止または低減される。本態様において、処理実行部１０は、例えば、状態保持部２１の状態に基づいて、外部からの入力に応じて電力供給が開始されたか、または電力供給部２０への電力供給の再開に応じて電力の供給が開始されたかを判断する。具体的には、処理実行部１０は、状態保持部２１が第１の状態にあるときには、電力供給部２０への電力供給の再開に応じて電力供給が開始されたと判断して省電力モードに起動し、状態保持部２１が第２の状態にあるときには、外部からの入力に応じて電力供給が開始されたと判断して通常モードに起動する。この場合、処理実行部１０は、状態保持部２１の状態に基づいて上記判断ができるように、状態保持部２１の状態の設定を行う。例えば、処理実行部１０は、電力供給部２０からの電力供給が開始された際に状態保持部２１を第１の状態に設定する場合、電力供給の開始後、状態保持部２１の状態に基づいて動作モードを決定した後に、状態保持部２１の状態を第１の状態に設定する。
【００２４】
図２は、実施の形態１における処理実行部１０の動作の一例を示すフローチャートである。以下、図２を参照しながら、印刷装置１の動作を説明する。
【００２５】
ＯＮモード中に印刷装置１への外部電源３からの電力供給が停止し、その後印刷装置１への電力供給が再開された場合、状態保持部２１が第１の状態を保持していることから、スイッチ部２２はＯＮ状態となり、処理実行部１０への電力の供給が開始される。
【００２６】
一方、ＯＦＦモード中に印刷装置１への外部電源３からの電力供給が停止し、その後印刷装置１への電力供給が再開された場合、状態保持部２１が第２の状態を保持していることから、スイッチ部２２はＯＦＦ状態を維持し、処理実行部１０への電力の供給は開始されない。その後、ＯＦＦモード中に電源ＯＮ操作が行われると、スイッチ部２２がＯＮ状態となり、処理実行部１０への電力供給が開始される。
【００２７】
上記のように処理実行部１０への電力供給が開始されると、処理実行部１０は、図２の処理を開始する。
【００２８】
図２において、処理実行部１０は、状態保持部２１が第１の状態にあるか第２の状態にあるかを判断し（Ｓ１）、第２の状態にあると判断された場合には（Ｓ１：第２の状態）、状態保持部２１を第１の状態に設定し（Ｓ２）、通常モードに起動する（Ｓ３）。通常モードでは、処理実行部１０は、上位装置２からの印刷要求に応じて印刷処理を実行する。処理実行部１０は、電源ＯＦＦ操作を検知するまで通常モードを維持し（Ｓ４：ＮＯ）、電源ＯＦＦ操作を検知すると（Ｓ４：ＹＥＳ）、処理をステップＳ８に移す。
【００２９】
一方、ステップＳ１で第１の状態にあると判断された場合には（Ｓ１：第１の状態）、処理実行部１０は、省電力モードに起動する（Ｓ５）。省電力モードでは、処理実行部１０は、上位装置２からの印刷要求を受けるか、電源ＯＦＦ操作を検知するまで省電力モードを維持し（Ｓ６：ＮＯ、Ｓ７：ＮＯ）、印刷要求を受けた場合には（Ｓ６：ＹＥＳ）、通常モードに移行して印刷処理を実行し（Ｓ３）、電源ＯＦＦ操作を検知した場合には（Ｓ７：ＹＥＳ）、処理をステップＳ８に移す。
【００３０】
ステップＳ８では、処理実行部１０は、状態保持部２１を第２の状態に設定する。ついで、処理実行部１０は、スイッチ部２２に電源ＯＦＦ信号を出力する（Ｓ９）。この電源ＯＦＦ信号によりスイッチ部２２がＯＦＦ状態となり、処理実行部１０への電力供給が停止する。
【００３１】
以下、印刷装置１の構成および動作について、より具体的な例を説明する。
図１の例では、処理実行部１０は、ＲＯＭ（Read Only Memory）１１、ＲＡＭ（Random Access Memory）１２、メモリコントローラ１３、通信インタフェース１４、ＥＥＰＲＯＭ（Electrically Erasable Programmable Read Only Memory）１５、伸張回路１６、計時部１７、印刷部１８、および制御部１９を有する。
【００３２】
ＲＯＭ１１は、読み出し専用の不揮発性メモリであり、制御部１９に実行されるプログラムを格納している。ＲＡＭ１２は、読み書き可能な揮発性メモリであり、上位装置２からの画像データや圧縮されたラスタデータ等のデータを一時的に記憶する。メモリコントローラ１３は、ＲＯＭ１１およびＲＡＭ１２に対するアクセスを制御する回路である。通信インタフェース１４は、上位装置２と通信するためのインタフェースであり、例えばＵＳＢインタフェースである。ＥＥＰＲＯＭ１５は、書き換え可能な不揮発性メモリであり、省電力モード移行時間やＯＦＦモード移行時間などのデータを記憶する。伸張回路１６は、圧縮されたラスタデータを伸張して元のラスタデータを出力する回路である。計時部１７は、時間を計時する回路であり、例えばリアルタイムクロック（ＲＴＣ）である。印刷部１８は、ラスタデータに基づいて画像を用紙に印刷する装置であり、ここでは電子写真方式を用いて印刷を行うものである。ただし、印刷部は、例えばインクジェット方式など、電子写真方式以外の印刷方式を用いるものでもよい。制御部１９は、印刷装置１の動作を制御するものであり、例えばＣＰＵ（Central Processing Unit）である。具体的には、制御部１９は、バスＢ等を介して上記各部と接続され、ＲＯＭに格納されたプログラムをＲＡＭに読み出して実行することにより印刷処理等の各種処理を行う。
【００３３】
ここで、印刷処理について説明する。上位装置２は、ユーザ操作に基づき、画像データを作成した後、予め決められたプリンタドライバにより画像データをプリンタ言語による印刷データに変換し、当該印刷データを印刷装置１に送信する。制御部１９は、通信インタフェース１４を介して上位装置２からの印刷データを受信し、ＲＡＭ１２に格納する。制御部１９は、ＲＯＭ１１に格納されたエミュレーションプログラムに基づき、ＲＡＭ１２に格納された印刷データをラスタデータに展開し、当該ラスタデータを圧縮してＲＡＭ１２に格納する。そして、制御部１９は、伸張回路１６に伸張開始指示を送り、印刷部１８に印刷開始指示を送る。これに応じて、伸張回路１６は、ＲＡＭ１２に格納された圧縮後のラスタデータを伸張してラスタデータを印刷部１８に送り、印刷部１８は、伸張回路１６からのラスタデータに基づいて画像を形成して用紙に印刷する。
【００３４】
上記印刷処理の他に、制御部１９は、印刷装置１のモードの制御に関し、以下の処理を行う。
【００３５】
制御部１９は、処理実行部１０への電力供給が開始された場合に、Ｍｏｄｅ信号ラインＬ１を介して状態保持部２１の状態を示すＭｏｄｅ信号を受信し、当該Ｍｏｄｅ信号に基づいて、通常モードおよび省電力モードのうちいずれの動作モードに起動するかを決定する。
【００３６】
また、制御部１９は、処理実行部１０への電力供給が開始された場合に、動作モードの決定後、状態保持部２１に対し、Ｇｏ＿ｐｓ信号ラインＬ２を介して、状態保持部２１を第１の状態にセットするためのＧｏ＿ｐｓ信号を出力する。このＧｏ＿ｐｓ信号は、外部電源３から印刷装置１への電力供給の再開時に省電力モードに移行するという意味を持つ信号である。
【００３７】
また、制御部１９は、計時部１７により計時された時間に基づき、通常モードにおける待機時間が予め設定された省電力モード移行時間に達した場合、印刷装置１のモードを通常モードから省電力モードへ移行させる。ここで、通常モードにおける待機時間は、例えば、通常モード移行後に印刷処理が行われていない場合には、通常モード移行時点からの経過時間であり、通常モード移行後に印刷処理が行われた場合には、最後に行われた印刷処理の終了時点からの経過時間である。
【００３８】
また、制御部１９は、計時部１７により計時された時間に基づき、省電力モードにおける待機時間（すなわち省電力モード移行時点からの経過時間）が予め設定されたＯＦＦモード移行時間に達した場合、印刷装置１のモードを省電力モードからＯＦＦモードへ移行させる。制御部１９は、通常モードにおける待機時間がＯＦＦモード移行時間に達した場合、印刷装置１のモードを通常モードからＯＦＦモードへ移行させてもよい。
【００３９】
例えば、省電力モード移行時間の初期値およびＯＦＦモード移行時間の初期値は、印刷装置１の工場出荷時に設定される。省電力モード移行時間およびＯＦＦモード移行時間の変更は、図示しないオペレーションパネルから行われる。省電力モード移行時間の設定範囲は、例えばおよそ１分から１２０分までであり、ＯＦＦモード移行時間の設定範囲は、例えば１時間から１２時間までである。
【００４０】
また、制御部１９は、ＯＦＦ操作受付部２４が操作されたことを検知すると、状態保持部２１に対し、Ｇｏ＿ｏｆｆ信号ラインＬ３を介して、状態保持部２１を第２の状態にセットするためのＧｏ＿ｏｆｆ信号を出力し、スイッチ部２２に対し、Ｐｏｗｅｒ＿ｏｆｆ信号ラインＬ４を介して、処理実行部１０への電力供給を停止させるための電源ＯＦＦ信号を出力する。Ｇｏ＿ｏｆｆ信号は、外部電源３から印刷装置１への電力供給の再開時にＯＦＦモードに留まるという意味を持つ信号である。
【００４１】
図３は、実施の形態１における電力供給部２０の具体的な構成の一例を示す回路図である。以下、図３を参照して、状態保持部２１およびスイッチ部２２の具体的な構成の一例を説明する。
【００４２】
状態保持部２１は、ｐチャネルＦＥＴ（電界効果トランジスタ）５０およびｎチャネルＦＥＴ５１により構成される自己保持回路２１ｂを有する。ＦＥＴ５０のゲートは、抵抗５２を介してＦＥＴ５１のドレインに接続されている。ＦＥＴ５０のゲートとソースとの間には、抵抗５３が接続されている。ＦＥＴ５０のソースは、ダイオード５４を介して、電源部３０からの電源ライン（具体的には５Ｖ電圧ライン）ＶＤＤに接続されている。ダイオード５４は、カソードがＦＥＴ５０に接続されるように挿入されている。また、ＦＥＴ５０のソースは、ダイオード５５および抵抗５６を介して、電力保持部２１ａとしての電池５７の正極に接続されている。ダイオード５５は、カソードがＦＥＴ５０に接続されるように挿入されている。電池５７の負極は、グランドに接続されている。ＦＥＴ５０のソースは、抵抗５８を介してＦＥＴ５１のゲートに接続されている。ＦＥＴ５１のゲートは、ダイオード５９を介して、状態保持部２１と制御部１９とを接続するＧｏ＿ｐｓ信号ラインＬ２に接続されている。ダイオード５９は、カソードがＦＥＴ５１に接続されるように挿入されている。また、ＦＥＴ５１のゲートは、ｎチャネルＦＥＴ６０のドレインに接続されている。ＦＥＴ６０のゲートは、ダイオード６１を介して、状態保持部２１と制御部１９とを接続するＧｏ＿ｏｆｆ信号ラインＬ３に接続されている。ダイオード６１は、カソードがＦＥＴ６０に接続されるように挿入されている。ＦＥＴ６０のゲートとソースとの間には抵抗６２が接続されており、ＦＥＴ６０のソースはグランドに接続されている。ＦＥＴ５１のゲートとソースとの間には抵抗６３が接続されている。ＦＥＴ５１のソースは、グランドに接続されている。ＦＥＴ５０のドレインは、ｎチャネルＦＥＴ６４のゲートに接続されている。ＦＥＴ６４のゲートとソースとの間には抵抗６５が接続されており、ＦＥＴ６４のソースはグランドに接続されている。ＦＥＴ６４のドレインは、状態保持部２１と制御部１９とを接続するＭｏｄｅ信号ラインＬ１に接続されている。また、ＦＥＴ６４のドレインは、抵抗６６を介してｐチャネルＦＥＴ６７のゲートに接続されている。ＦＥＴ６７のゲートとソースとの間には抵抗６８が接続されており、ＦＥＴ６７のソースは電源ラインＶＤＤに接続されている。ＦＥＴ６７のドレインは、状態保持部２１とスイッチ部２２とを接続するＰｓ信号ラインＬ５に接続されている。
【００４３】
スイッチ部２２は、ｐチャネルＦＥＴ７０（図１のスイッチ素子２２ａに相当する）およびｎチャネルＦＥＴ７１により構成される自己保持回路２２ｂを有する。ＦＥＴ７０のゲートは、抵抗７２を介してＦＥＴ７１のドレインに接続されている。ＦＥＴ７０のゲートとソースとの間には抵抗７３が接続されており、ＦＥＴ７０のソースは電源部３０からの電源ラインＶＤＤに接続されている。ＦＥＴ７０のドレインは、抵抗７４を介してＦＥＴ７１のゲートに接続されている。ＦＥＴ７１のゲートは、抵抗７５を介してＰｓ信号ラインＬ５に接続されている。また、ＦＥＴ７１のゲートは、ｎチャネルＦＥＴ７６のドレインに接続されている。ＦＥＴ７６のゲートは、ダイオード７７を介して、スイッチ部２２と制御部１９とを接続するＰｏｗｅｒ＿ｏｆｆ信号ラインＬ４に接続されている。ダイオード７７は、カソードがＦＥＴ７６に接続されるように挿入されている。ＦＥＴ７６のゲートとソースとの間には抵抗７８が接続されており、ＦＥＴ７６のソースはグランドに接続されている。ＦＥＴ７１のゲートとソースとの間には抵抗７９が接続されており、ＦＥＴ７１のソースはグランドに接続されている。ＦＥＴ７０のドレインは、スイッチ部２２と処理実行部１０とを接続する電源ラインＶＤＤ＿Ｐに接続されている。さらに、ＦＥＴ７１のゲートは、抵抗８０を介して接点８１と接続されている。スイッチ部２２は、操作スイッチ８２を有し、この操作スイッチ８２が押下されている間、接点８１と、電源ラインＶＤＤに接続されている接点８３とが導通状態となり、電源ラインＶＤＤとＦＥＴ７１のゲートとが接続されるように構成されている。操作スイッチ８２は、図１のＯＮ操作受付部２３およびＯＦＦ操作受付部２４として機能する電源ＯＮ／ＯＦＦスイッチであり、例えば図示しない印刷装置１のオペレーションパネルに配置される。なお、図３には示されていないが、操作スイッチ８２が押下されると、当該操作を示す信号が制御部１９に供給されるように構成されている。例えば、制御部１９への信号ラインと接続される接点と、電源ラインＶＤＤと接続される接点とが設けられ、操作スイッチ８２が押下されている間、両接点が導通状態となり、電源ラインＶＤＤの電圧が上記信号ラインに印加される。
【００４４】
次に、図３に示される状態保持部２１の動作を説明する。
ＦＥＴ５０および５１がＯＦＦ状態にある場合に、Ｇｏ＿ｐｓ信号ラインＬ２がローレベルからハイレベル（具体的には５Ｖ）になると、ＦＥＴ５１がＯＮ状態となり、ＦＥＴ５１のドレイン電圧が下がり、ＦＥＴ５０のゲート電圧が下がる。これにより、ＦＥＴ５０がＯＮ状態となり、電源ラインＶＤＤの電圧がＦＥＴ５０および抵抗５８を介してＦＥＴ５１のゲートに再び印加され、自己保持回路２１ｂが自己保持状態となる。すなわち、Ｇｏ＿ｐｓ信号は自己保持回路２１ｂのセット信号であり、ハイレベルのＧｏ＿ｐｓ信号の供給により自己保持回路２１ｂがセット状態（自己保持状態）となる。Ｇｏ＿ｐｓ信号は、通常はローレベルであり、自己保持回路２１ｂをセットする際、制御部１９により所定時間だけハイレベルとされる。なお、電源部３０からの電圧供給が停止した後は、電池５７の電圧により自己保持回路２１ｂの自己保持状態が維持される。
【００４５】
自己保持回路２１ｂがセット状態にある場合、すなわちＦＥＴ５０および５１がＯＮ状態にある場合に、Ｇｏ＿ｏｆｆ信号ラインＬ３がローレベルからハイレベル（具体的には５Ｖ）になると、ＦＥＴ６０がＯＮ状態となり、ＦＥＴ５１のゲート電圧が下がり、ＦＥＴ５１がＯＦＦ状態となる。これにより、ＦＥＴ５１のドレイン電圧が上がり、ＦＥＴ５０のゲート電圧が上がり、ＦＥＴ５０がＯＦＦ状態となり、自己保持回路２１ｂの自己保持状態が解除される。すなわち、Ｇｏ＿ｏｆｆ信号は自己保持回路２１ｂのリセット信号であり、ハイレベルのＧｏ＿ｏｆｆ信号の供給により自己保持回路２１ｂがリセット状態となる。Ｇｏ＿ｏｆｆ信号は、通常はローレベルであり、自己保持回路２１ｂをリセットする際、制御部１９により所定時間だけハイレベルとされる。
【００４６】
自己保持回路２１ｂがセット状態にある場合、電源ラインＶＤＤの電圧がＦＥＴ５０を介してＦＥＴ６４のゲートに印加され、ＦＥＴ６４がＯＮ状態となり、Ｍｏｄｅ信号ラインＬ１がＦＥＴ６４を介してグランドに接続され、Ｍｏｄｅ信号はローレベルとなる。また、ＦＥＴ６７のゲート電圧が下がり、ＦＥＴ６７がＯＮ状態となり、電源ラインＶＤＤの電圧がＦＥＴ６７を介してＰｓ信号ラインＬ５に印加され、Ｐｓ信号はハイレベルとなる。
【００４７】
一方、自己保持回路２１ｂがリセット状態にある場合には、ＦＥＴ６４がＯＦＦ状態となり、電源ラインＶＤＤの電圧が抵抗６８および６６を介してＭｏｄｅ信号ラインＬ１に印加され、Ｍｏｄｅ信号はハイレベルとなる。また、ＦＥＴ６７がＯＦＦ状態となり、Ｐｓ信号ラインＬ５が抵抗７５および７９を介してグランドに接続され、Ｐｓ信号はローレベルとなる。
【００４８】
このように、Ｍｏｄｅ信号およびＰｓ信号は、自己保持回路２１ｂの状態を示す信号である。Ｍｏｄｅ信号は、自己保持回路２１ｂの状態を制御部１９に伝達するための信号であり、ハイレベル（論理値１）のときは自己保持回路２１ｂがリセット状態にあることを示し、ローレベル（論理値０）のときは自己保持回路２１ｂがセット状態にあることを示す。一方、Ｐｓ信号は、自己保持回路２１ｂの状態をスイッチ部２２に伝達するための信号であり、ハイレベル（論理値１）のときは自己保持回路２１ｂがセット状態にあることを示し、ローレベル（論理値０）のときは自己保持回路２１ｂがリセット状態にあることを示す。すなわち、Ｐｓ信号とＭｏｄｅ信号とは、極性が互いに反対である。
【００４９】
次に、図３に示されるスイッチ部２２の動作を説明する。
電源部３０からの電源供給がない場合、ＦＥＴ７０および７１はＯＦＦ状態にあり、自己保持回路２２ｂはリセット状態にあり、電源ラインＶＤＤ＿Ｐの電圧は０Ｖである。
【００５０】
状態保持部２１の自己保持回路２１ｂがセット状態にある場合に、電源部３０からの電源供給が開始すると、電源ラインＶＤＤの電圧（具体的には５Ｖ）がＦＥＴ６７を介してＰｓ信号ラインＬ５に印加され、Ｐｓ信号がハイレベルとなり、ＦＥＴ７１のゲートがハイレベルとなる。これにより、ＦＥＴ７１がＯＮ状態となり、ＦＥＴ７０のゲート電圧が下がり、ＦＥＴ７０がＯＮ状態となる。これにより、電源ラインＶＤＤがＦＥＴ７０を介して電源ラインＶＤＤ＿Ｐに接続され、処理実行部１０への電源供給が開始される。また、電源ラインＶＤＤの電圧がＦＥＴ７０および抵抗７４を介してＦＥＴ７１のゲートに再び印加され、自己保持回路２２ｂが自己保持状態（セット状態）となり、処理実行部１０への電源供給状態が維持される。
【００５１】
状態保持部２１の自己保持回路２１ｂがリセット状態にある場合に、電源部３０からの電源供給が開始したときは、Ｐｓ信号がローレベルであることから、ＦＥＴ７１もＦＥＴ７０もＯＦＦ状態のままであり、自己保持回路２２ｂはリセット状態を維持する。その後、操作スイッチ８２が押下されると、電源ラインＶＤＤの電圧が抵抗８０を介してＦＥＴ７１のゲートに印加され、ＦＥＴ７１がＯＮ状態となる。これにより、ＦＥＴ７０のゲート電圧が下がり、ＦＥＴ７０がＯＮ状態となる。これにより、電源ラインＶＤＤがＦＥＴ７０を介して電源ラインＶＤＤ＿Ｐに接続され、処理実行部１０への電源供給が開始される。また、電源ラインＶＤＤの電圧がＦＥＴ７０および抵抗７４を介してＦＥＴ７１のゲートに再び印加され、自己保持回路２２ｂが自己保持状態（セット状態）となり、処理実行部１０への電源供給状態が維持される。
【００５２】
スイッチ部２２の自己保持回路２２ｂがセット状態にある場合に、Ｐｏｗｅｒ＿ｏｆｆ信号ラインＬ４の電源ＯＦＦ信号がローレベルからハイレベル（具体的には５Ｖ）になると、ＦＥＴ７６がＯＮ状態となり、ＦＥＴ７１のゲート電圧が下がり、ＦＥＴ７１がＯＦＦ状態となる。これにより、ＦＥＴ７０のゲート電圧が上がり、ＦＥＴ７０がＯＦＦ状態となり、電源ラインＶＤＤ＿Ｐが０Ｖとなり、処理実行部１０への電源供給が停止する。また、自己保持回路２２ｂの自己保持状態が解除される。すなわち、電源ＯＦＦ信号は自己保持回路２２ｂのリセット信号であり、ハイレベルの電源ＯＦＦ信号の供給により自己保持回路２２ｂがリセット状態となる。電源ＯＦＦ信号は、通常はローレベルであり、自己保持回路２２ｂをリセットする際、制御部１９により所定時間だけハイレベルとされる。
【００５３】
図４は、実施の形態１における制御部１９の具体的な動作の一例を示すフローチャートである。以下、図４を参照して、制御部１９の動作の一例を説明する。
【００５４】
制御部１９は、スイッチ部２２からの電源供給が開始されたことを検知すると、図４の動作を開始する。具体的には、制御部１９は、処理実行部１０への電源供給が開始され、図示しないリセット回路のリセット信号がインアクティブに変化したことを検出すると、図４の動作を開始する。
【００５５】
制御部１９は、ＲＯＭ１１からプログラムを読み込み、ＲＡＭ１２の初期化を行い（Ｓ１０１）、通信インタフェース１４の初期化を行う（Ｓ１０２）。具体的には、制御部１９は、ＵＳＢデバイスの制御ＩＣのレジスタ設定を行う。
【００５６】
ついで、制御部１９は、Ｍｏｄｅ信号のチェックを行い（Ｓ１０３）、Ｍｏｄｅ信号がハイレベル（論理値１）である場合には（Ｓ１０３：“１”）、処理をステップＳ１０４に移行させ、Ｍｏｄｅ信号がローレベル（論理値０）である場合には（Ｓ１０３：“０”）、処理をステップＳ１０８に移行させる。ここで、Ｍｏｄｅ信号のハイレベルは、前回処理実行部１０への電源供給が正常終了したこと（具体的には、前回電源ＯＦＦ操作により処理実行部１０への電源供給が遮断されたこと）を示し、Ｍｏｄｅ信号のローレベルは、前回処理実行部１０への電源供給が異常終了したこと（具体的には、前回ＯＮモード中に停電等により処理実行部１０への電源供給が遮断されたこと）を示す。
【００５７】
ステップＳ１０４では、制御部１９は、状態保持部２１の自己保持回路２１ｂをセットするために、Ｇｏ＿ｐｓ信号を所定時間だけハイレベルにする。
【００５８】
ついで、制御部１９は、印刷部１８の初期化を行う（Ｓ１０５）。具体的には、制御部１９からの指示に基づき、印刷部１８は、ヒータ（例えば定着器のヒータ）の通電および制御を開始し、モータの初期動作を行う。
【００５９】
そして、制御部１９は、印刷装置１の動作モードを通常モードにする（Ｓ１０６）。この通常モードでは、印刷部１８は、ヒータ制御を行い、印刷可能状態を維持し、印刷要求に応じて印刷処理を実行する。
【００６０】
ついで、制御部１９は、モードの変更に関する判断を行う（Ｓ１０７）。具体的には、制御部１９は、通常モードにおける待機時間が所定の省電力モード移行時間に達したと判断した場合には（Ｓ１０７：省電力移行）、処理をステップＳ１０８へ移行させる。制御部１９は、操作スイッチ８２が押されたか、または、通常モードにおける待機時間が所定のＯＦＦモード移行時間に達したと判断した場合には（Ｓ１０７：ＰＯＷＥＲ  ＯＦＦ）、処理をステップＳ１１０に移行させる。制御部１９は、モードを変化させる事象が発生しなかったと判断した場合には（Ｓ１０７：ＮＯ）、処理をステップＳ１０６に戻す。
【００６１】
ステップＳ１０８では、制御部１９は、印刷装置１の動作モードを省電力モードにする。この省電力モードは、ヒータの通電および制御を行わない点や、使用していない回路へのクロック供給を行わない点などで、通常モードと異なる。省電力モードでは、印刷装置１は、通常モード時と比較して省電力状態になる。
【００６２】
ついで、ステップ１０９では、制御部１９は、モードの変更に関する判断を行う。具体的には、制御部１９は、通信インタフェース１４から印刷データを受信したと判断した場合には（Ｓ１０９：印刷）、処理をステップＳ１０５へ移行させる。制御部１９は、操作スイッチ８２が押されたか、または、省電力モードにおける待機時間が所定のＯＦＦモード移行時間に達したと判断した場合には（Ｓ１０９：ＰＯＷＥＲ  ＯＦＦ）、処理をステップＳ１１０へ移行させる。制御部１９は、モードを変化させる事象が発生しなかったと判断した場合には（Ｓ１０９：ＮＯ）、処理をステップＳ１０８に戻す。
【００６３】
ステップＳ１１０では、制御部１９は、状態保持部２１の自己保持回路２１ｂをリセットするために、Ｇｏ＿ｏｆｆ信号を所定時間だけハイレベルにする。
【００６４】
ついで、ステップＳ１１１では、制御部１９は、スイッチ部２２の自己保持回路２２ｂをリセットし、処理実行部１０への電源供給を停止させるために、電源ＯＦＦ信号を所定時間だけハイレベルにし、処理を終了させる。
【００６５】
以上のように状態保持部２１、スイッチ部２２、および制御部１９が動作することにより、電力供給再開時の印刷装置１の動作は、以下の通りとなる。
【００６６】
ＯＦＦモード中に外部電源３から印刷装置１への電力供給が停止し、その後、外部電源３からの電力供給が再開された場合、状態保持部２１の自己保持回路２１ｂはリセット状態であり、Ｐｓ信号はローレベルであり、ＦＥＴ７０はＯＦＦ状態を維持し、処理実行部１０への電力供給は開始されない。すなわち、印刷装置１はＯＦＦモードに留まる。その後、操作スイッチ８２が押下されると、ＦＥＴ７０がＯＮ状態となり、処理実行部１０への電力供給が開始される。処理実行部１０の制御部１９は、電力供給の開始を検知すると、初期動作を行った後、Ｍｏｄｅ信号がハイレベルであることを検出し、印刷部１８の初期化を行って、通常モードに移行する。
【００６７】
一方、ＯＮモード（省電力モードまたは通常モード）中に外部電源３から印刷装置１への電力供給が停止し、その後、外部電源３からの電力供給が再開された場合、状態保持部２１の自己保持回路２１ｂがセット状態であることから、Ｐｓ信号はハイレベルとなり、ＦＥＴ７０がＯＮ状態となり、処理実行部１０への電力供給が開始される。すなわち、印刷装置１はＯＮモードに移行する。処理実行部１０の制御部１９は、電力供給の開始を検知すると、初期動作を行った後、Ｍｏｄｅ信号がローレベルであることを検出し、印刷部１８の初期化を行わず、省電力モードに移行する。
【００６８】
以上説明した本実施の形態１によれば、下記（１）〜（１０）の効果が得られ得る。
（１）本実施の形態では、電子機器は、電力を用いて所定の処理を実行する処理実行部と、外部電源から供給される電力を処理実行部に供給する電力供給部とを有し、電力供給部は、電力供給部への外部電源からの電力供給が再開された場合、電力供給部への電力供給が前回停止した際に処理実行部への電力供給が行われていたときには、処理実行部への電力供給を開始し、電力供給部への電力供給が前回停止した際に処理実行部への電力供給が行われていなかったときには、処理実行部への電力供給を開始しない。このため、本実施の形態によれば、利便性を向上させつつ、無駄な電力消費を抑制することが可能となる。
【００６９】
具体的には、処理実行部への電力供給が行われていたときに電子機器への電力供給が停止した場合、電子機器への電力供給の再開に応じて、電力供給部により処理実行部への電力供給が開始される。すなわち、電力供給の再開に応じて、電力供給部が電源投入動作を行う。このため、ユーザが電源投入操作を行う必要がなくなり、ユーザの利便性が向上する。また、処理実行部は、電子機器への電力供給の再開後、速やかに起動することが可能となり、これにより、停電等による電子機器の動作停止期間を短くすることが可能となる。例えば、電子機器が外部装置から情報を受信する機能（例えばファクシミリ機能）を有する場合には、停電等による受信不能期間を短くすることが可能となる。
【００７０】
一方、処理実行部への電力供給が行われていなかったときに電子機器への電力供給が停止した場合には、電子機器への電力供給が再開されたとき、電力供給部による処理実行部への電力供給は開始されない。このため、電力供給の再開に応じて常に処理実行部への電力供給が開始される場合と比較して、無駄な電力消費を抑制することができる。具体的には、もともと処理実行部への電力供給が行われていなかった場合には、電子機器への電力供給が停止し再開されたとき、処理実行部への電力供給を開始する必要はなく、処理実行部への電力供給を開始すると無駄な電力消費（例えばユーザの意図しない電源投入動作や起動のための電力消費）が生じることが考えられる。例えば、無駄な電力消費として、ユーザの意図しない電源投入動作のための電力消費や、電源供給状態を維持するための電力供給部における電力消費、ユーザの意図しない起動のための処理実行部における電力消費などが生じることが考えられる。本実施の形態によれば、このような無駄な電力消費を回避または軽減することが可能となる。
【００７１】
また、ユーザが意図していないのに（例えばユーザが電源ＯＮ操作していないのに）起動してしまうといった奇異な動作をなくすことが可能となる。
【００７２】
また、電力供給の再開に応じて常に処理実行部への電力供給が開始される構成では、電子機器が複数台ある場合、電力供給が再開された際に、複数台の電子機器が一斉に起動してピーク電力が過大となる可能性がある。本実施の形態によれば、このような事態の発生を回避または軽減することが可能となる。
【００７３】
ところで、外部電源が停電した場合に制御部が停電時の動作モードを不揮発性の記憶部に書き込んでおき、停電が復旧した際に、制御部が記憶部から動作モードを読み出し、元の動作モードに戻る構成も考えられる。しかし、当該構成では、記憶部から動作モードを読み出すために、制御部に電力を供給して制御部を起動する必要がある。このため、ＯＦＦモード中に停電した場合、停電が復旧した際にＯＦＦモードを維持することが望ましいが、上記構成ではいったん制御部が起動するため、起動のための電力が消費されてしまう。また、ユーザにとっては、意図せず装置が起動したように見えてしまう。さらに、上記構成を有する複数の電子機器が存在する場合、停電からの回復後、当該複数の電子機器が一斉に電力を消費し、ピーク電力が過大となる。急激な電流増加は保安装置を働かせる可能性があり、保安装置が働いてしまうと復旧が困難となる。
【００７４】
（２）電力供給部は、電力供給部への電力供給が停止した際に処理実行部への電力供給が行われていたことを示す第１の状態、または電力供給部への電力供給が停止した際に処理実行部への電力供給が行われていなかったことを示す第２の状態を保持する状態保持部と、外部電源から供給される電力を処理実行部に対して供給または遮断するスイッチ部であって、電力供給部への電力供給が開始された場合、状態保持部が第１の状態にあるときには、処理実行部への電力供給を開始し、状態保持部が第２の状態にあるときには、処理実行部への電力供給を開始しないスイッチ部と、を含む。本態様によれば、電力供給部を簡易な構成で実現することができ、電力供給部の消費電力を抑えることができる。
【００７５】
（３）状態保持部は、電力を保持する電力保持部と、当該電力保持部を電源として第１または第２の状態を保持する自己保持回路とを含み、スイッチ部は、自己保持回路の状態に応じて、外部電源と処理実行部との間を電気的に接続または遮断するスイッチ素子を含む。本態様によれば、少量のまたは簡易な電子部品により電力供給部を構成することが可能となり、電力供給部の構成の簡易化や消費電力の抑制をより一層図ることができる。
【００７６】
（４）スイッチ部は、処理実行部への電力供給を開始した場合に、当該電力供給状態を自己保持する自己保持回路を含む。本態様によれば、電力供給状態を維持することができ、例えばスイッチ部の電力供給状態を維持しながら、状態保持部の状態を変更することが可能となる。
【００７７】
（５）電力供給部は、当該電力供給部に電力が供給されており、処理実行部に電力が供給されていない場合、外部からの入力に応じて、処理実行部への電力供給を開始する。本態様によれば、外部からの入力に応じて処理実行部への電力供給を開始する場合に、電力供給の再開に応じて処理実行部への電力供給を開始するための電力供給部の構成を利用すること（具体的には部品の共用）が可能となる。
【００７８】
（６）電力供給部は、上記外部からの入力としてユーザからの操作を受け付ける操作受付部を含み、当該操作受付部により上記操作が受け付けられた場合に、処理実行部への電力供給を開始する。本態様によれば、電力供給の再開に応じて処理実行部への電力供給を開始するための構成を利用しながら、ユーザからの操作に応じて処理実行部への電力供給を開始することが可能となる。
【００７９】
（７）処理実行部は、外部からの入力に応じて電力供給が開始された場合と、電力供給部への電力供給の再開に応じて電力供給が開始された場合とで、互いに異なる動作モードに起動する。本態様によれば、それぞれの場合に応じた動作モードに起動することが可能となる。
【００８０】
（８）処理実行部は、動作モードとして、通常モードと、当該通常モードよりも消費電力の低い省電力モードとを有し、外部からの入力に応じて電力供給が開始された場合には通常モードに起動し、電力供給の再開に応じて電力の供給が開始された場合には省電力モードに起動する。本態様によれば、電力供給の再開に応じて電力供給が開始された場合（ユーザの意図によらずに電力供給が開始された場合）に、消費電力を抑えることができる。具体的には、ユーザの知らない間に多くの電力が消費されることを回避または軽減することができる。
【００８１】
（９）上記（７）または（８）において、処理実行部は、状態保持部の状態に基づいて、外部からの入力に応じて電力供給が開始されたか、または電力供給部への電力供給の再開に応じて電力の供給が開始されたかを判断する。本態様によれば、上記判断に状態保持部を利用することにより、構成の簡易化が可能となる。
【００８２】
なお、上記の説明では、電力供給部への電力供給の再開に応じて電力の供給が開始された場合に省電力モードに起動する場合を例示したが、通常モードに起動する構成とされてもよい。
【００８３】
また、図３では、状態保持部２１の自己保持回路２１ｂに外部電源３からの電力を供給する構成を例示したが、自己保持回路２１ｂへの外部電源３からの電力供給は省略されてもよい。すなわち、印刷装置１への電力供給の有無にかかわらず、自己保持回路２１ｂの自己保持状態が電池５５のみにより保持される構成であってもよい。
【００８４】
実施の形態２．
図５は、実施の形態２における電子機器としての印刷装置５の構成の一例を示すブロック図である。この印刷装置５は、実施の形態１のものと殆ど同じであるので、実施の形態１と同様の部分については、同一の符号を用い、説明を省略または簡略化することとする。
【００８５】
本実施の形態では、図５に示されるように、処理実行部１０は、記憶装置４０をさらに有する。この記憶装置４０は、具体的には不揮発性のメモリであり、ここではＳＤカードである。ただし、記憶装置４０は、ハードディスクドライブ（ＨＤＤ）、コンパクトフラッシュ（ＣＦ：登録商標）などでもよい。
【００８６】
処理実行部１０は、実行中の処理に関する情報を記憶装置４０に記憶させ、処理実行部１０への電力供給が開始された場合、記憶装置４０に実行中の処理に関する情報が記憶されているとき、当該情報を用いて当該処理を実行する。したがって、処理実行部１０により処理が実行されている最中に停電等で処理実行部１０への電力供給が停止した場合、停電の復旧等により処理実行部１０への電力供給が再開されたとき、処理実行部１０は、記憶装置４０に記憶されている情報を用いて、停電等で中断した処理を行う。記憶装置４０に記憶される情報は、電力供給の停止により中断した処理を行うための情報であり、例えば、実行中の処理の経過を示す経過情報や、実行中の処理の処理対象の情報などである。ここでは、記憶装置４０に記憶される情報は、実行中の印刷処理の経過を示す経過情報と、実行中の印刷処理における印刷対象の印刷データとを含む。
【００８７】
図６は、実施の形態２における制御部１９の印刷時の動作の一例を示すフローチャートである。以下、図６を参照して、制御部１９の印刷時の動作を説明する。図６の動作は、通常モードにおいて実行される。
【００８８】
制御部１９は、通信インタフェース１４から印刷データを受信すると（Ｓ２０１）、当該印刷データを記憶装置４０に格納する（Ｓ２０２）。
【００８９】
ついで、制御部１９は、上記印刷データの１ページを印刷し（Ｓ２０３）、印刷データの最終ページが印刷されたか否かを判断する（Ｓ２０４）。
【００９０】
そして、最終ページが印刷されたと判断された場合（Ｓ２０４：ＹＥＳ）、制御部１９は、処理をステップＳ２０６へ移行させる。そうでなければ（Ｓ２０４：ＮＯ）、制御部１９は、実行中の印刷処理の経過情報を記憶装置４０に記録し（Ｓ２０５）、処理をステップＳ２０３に戻し、次の１ページの印刷を行う。ここでは、制御部１９は、経過情報として、印刷済みのページ数またはページ番号（すなわちどのページの印刷が完了したかを示す情報）を記録する。制御部１９は、印刷済みのページ数を印刷中の印刷データのファイル名と対応付けて記録してもよい。
【００９１】
ステップＳ２０６では、制御部１９は、ステップＳ２０２で記憶装置４０に格納された印刷データを削除し、処理を終了させる。なお、印刷処理が終了した場合、制御部１９は、印刷が完了した旨を経過情報に記録してもよいし、経過情報を削除してもよい。
【００９２】
図７は、実施の形態２における制御部１９の電力供給開始後の動作の一例を示すフローチャートである。以下、図７を参照して、制御部１９の電力供給開始後の動作を説明する。図７の動作は、処理実行部１０への電力供給が開始されると実行される。図７の動作は、実施の形態１における図４の動作と殆ど同じであるが、図７のステップＳ１３０，Ｓ１６０がそれぞれ図４のステップＳ１０３，Ｓ１０６と異なる。
【００９３】
ステップＳ１３０では、制御部１９は、Ｍｏｄｅ信号および記憶装置４０の経過情報のチェックを行う。そして、制御部１９は、Ｍｏｄｅ信号がハイレベル（論理値１）である場合には（Ｓ１３０：“１”）、処理をステップＳ１０４に移行させる。また、制御部１９は、Ｍｏｄｅ信号がローレベル（論理値０）である場合でも、記憶装置４０に印刷中の印刷データが残されていると判断したときには（Ｓ１３０：“１”）、処理をステップＳ１０４に移行させる。一方、Ｍｏｄｅ信号がローレベルであり、記憶装置４０に印刷中の印刷データがないと判断したときには（Ｓ１３０：“０”）、処理をステップＳ１０８に移行させる。
【００９４】
ステップＳ１６０では、制御部１９は、図６の動作を実行する。すなわち、制御部１９は、印刷処理を実行する場合に、実行中の印刷処理に関する情報を記憶装置４０に記憶させる。また、ステップＳ１３０において記憶装置４０に印刷中の印刷データが残されていると判断された場合には、ステップＳ１０５の印刷部の初期化の終了後、制御部１９は、残されている印刷中の印刷データの印刷を再開する。具体的には、制御部１９は、記憶装置４０に記録されている経過情報に基づき、印刷データのうち未印刷のページの印刷を行う。より具体的には、制御部１９は、図６の動作をステップＳ２０３から開始する。このとき、制御部１９は、記憶装置４０に記録されている印刷済みのページ数に基づき、印刷済みの最後のページの次のページから印刷を開始する。すなわち、停電等による電力供給の停止により印刷処理が中断した場合、停電の復旧等により電力供給が再開されたとき、制御部１９は、ユーザの操作によらず（自動的に）、中断時点の状態から印刷処理を再開する。なお、制御部１９は、電力供給の再開後、自動的に印刷処理を再開するのではなく、ユーザからの印刷指示に応じて印刷処理を再開してもよい。
【００９５】
以上説明した本実施の形態２によれば、下記（１０）の効果が得られ得る。
（１０）処理実行部は、実行中の処理に関する情報を記憶装置に記憶させ、処理実行部への電力供給が開始された場合、記憶装置に実行中の処理に関する情報が記憶されているとき、当該情報を用いて当該処理を実行する。このため、処理の実行中に停電等により処理実行部への電力供給が停止した場合に、その後処理実行部への電力供給が再開された際に、記憶装置の情報を用いて実行中に中断した処理を実行することが可能となる。
【００９６】
具体的には、処理対象の情報を記憶装置に記憶させておく場合、処理対象の情報を電子機器に再度供給する必要がなくなり、利便性が向上する。また、処理の経過情報を記憶装置に記憶させておく場合、中断した位置から処理を再開することが可能となり、最初から処理を行う場合と比較して、電力や紙等の資源の消費量や、ユーザの作業時間を低減することが可能となる。例えば、数十ＭＢあるいは数千ページの印刷データを印刷している最中に停電等の不意の電源断があると、大量の印刷データを再度印刷することになり不便であったが、本実施の形態によれば、このような問題を回避または軽減することが可能となる。
【００９７】
実施の形態３．
図８は、実施の形態３における電子機器としての印刷装置８の構成の一例を示すブロック図である。この印刷装置８は、実施の形態１のものと殆ど同じであるので、実施の形態１と同様の部分については、同一の符号を用い、説明を省略または簡略化することとする。
【００９８】
本実施の形態では、電力供給部２０は、外部からの入力として外部装置からの信号を受信する受信部９０を含み、当該受信部９０により上記信号が受信された場合に、処理実行部１０への電力供給を開始する。具体的には、電力供給部２０は、外部装置が所定の状態にあることを示す信号を受信すると、電力供給を開始する。所定の状態としては、例えば、電源ＯＮ状態、動作状態、通信可能状態などがある。
【００９９】
一つの態様では、外部装置からの信号が受信された場合に処理実行部１０への電力供給が開始された場合、処理実行部１０は通常モードに起動する。ただし、処理実行部１０は省電力モードに起動してもよい。
【０１００】
図８の例では、電力供給部２０の受信部９０は、信号ラインＬ６を介して、外部装置としての上位装置２と接続されている。通信インタフェース１４は、通信ケーブルＣ２を介して上位装置２と接続されている。ここでは、通信ケーブルＣ２は、ＵＳＢケーブルであり、データ信号であるＤ＋信号およびＤ−信号を伝送するＤ＋ラインおよびＤ−ラインと、グランド（ＧＮＤ）ラインと、ＶＢＵＳ信号を伝送するＶＢＵＳラインとを含む。ＶＢＵＳ信号は、通信開始を示す信号であり、上位装置２がＯＮ状態になるとハイレベル（具体的には５Ｖ）となり、ＯＦＦ状態になるとローレベル（具体的には０Ｖ）になる。ＵＳＢケーブルＣ２を印刷装置８または上位装置２のＵＳＢコネクタから抜いた場合も、ＶＢＵＳ信号はローレベルとなる。信号ラインＬ６は、通信ケーブルＣ２のＶＢＵＳラインに接続されている。
【０１０１】
図９は、実施の形態３における電力供給部２０の具体的な構成の一例を示す回路図である。図９では、状態保持部２１の図示は省略されている。
【０１０２】
電力供給部２０の受信部９０において、信号ラインＬ６は、ダイオード９１を介してＰｓ信号ラインＬ５と接続されている。ダイオード９１は、カソードがＰｓ信号ラインＬ５に接続されるように挿入されており、ＶＢＵＳ信号がローレベルのときに電流が逆流するのを防ぐためのものである。図９の回路では、ＦＥＴ７０および７１がＯＦＦ状態の場合に、ＶＢＵＳ信号がローレベルからハイレベルに切り替わると、ハイレベルの電圧が抵抗７５を介してＦＥＴ７１のゲートに印加され、ＦＥＴ７１がＯＮ状態となり、ＦＥＴ７０がＯＮ状態となる。すなわち、スイッチ部２２がＯＮ状態となる。
【０１０３】
以下、図８、９を参照しながら、実施の形態３における印刷装置８の動作の一例を説明する。
【０１０４】
停電によって外部電源３から印刷装置８および上位装置２への電力供給が停止し、その後、停電が復旧し、印刷装置８および上位装置２への電力供給が再開されたものとする。また、停電時において印刷装置８はＯＦＦモードであったものとする。
【０１０５】
上記の場合、印刷装置８への電力供給が再開されたとき、状態保持部２１の自己保持回路２１ｂはリセット状態であり、処理実行部１０への電力供給は直ちには開始されない。
【０１０６】
停電復旧後、上位装置（例えばパーソナルコンピュータ）２に対してユーザにより電源投入操作（例えば電源スイッチの押下）が行われると、上位装置２は、初期動作を行いＯＳ（Operation System）が立ち上がる。その際、ＵＳＢインタフェースのドライバも初期化され、通信可能状態になり、ＶＢＵＳ信号がローレベルからハイレベルになる。これにより、印刷装置８のスイッチ部２２がＯＮ状態となり、電源ラインＶＤＤがＦＥＴ７０を介して電源ラインＶＤＤ＿Ｐに接続され、処理実行部１０への電力供給が開始される。
【０１０７】
処理実行部１０への電力供給が開始されると、制御部１９は図示しないリセット回路のリセット信号がインアクティブに変化したことを検出し、動作を開始する。そして、制御部１９は、通信インタフェース１４を介して、ＶＢＵＳ信号がハイレベルになっていることを検出すると、印刷部１８の初期化を行う。具体的には、印刷部１８は、制御部１９からの指示に基づき、ヒータの通電および制御を開始し、モータの初期動作を行う。初期化処理が完了すると、印刷装置８は通常モードとなる。その後、印刷装置８は、上位装置２から印刷データを受信すると、当該印刷データの印刷を行う。
【０１０８】
このように、印刷装置８は、上位装置２の状態に連動して動作する。具体的には、電力供給部２０は、上位装置２の状態（例えば電源状態）を検出し、上位装置２が所定の状態（例えば電源ＯＮ状態または動作状態）にあるとき、処理実行部１０への電力供給を開始する。そして、処理実行部１０は、電力供給が開始されると通常モードに起動する。
【０１０９】
以上説明した本実施の形態３によれば、下記（１１）の効果が得られ得る。
（１１）電力供給部は、外部からの入力として外部装置からの信号を受信する受信部を含み、当該受信部により上記信号が受信された場合に、処理実行部への電力供給を開始する。このため、外部装置の状態や動作に応じて、処理実行部への電力供給を開始することが可能となる。これにより、処理実行部は、外部装置の状態や動作（例えば起動）に応じて、速やかに起動または通常モードに移行することが可能となる。また、例えば、上位装置の起動に応じて印刷装置が通常モードに起動する構成によれば、印刷データが上位装置にあり、印刷装置に未送信の場合でも、上位装置の起動に応じて印刷装置が通常モードになるので、作業性の向上が期待できる。
【０１１０】
なお、上記の説明では、印刷装置を例示したが、電子機器は、印刷装置に限られず、他の種類の画像形成装置（画像を形成する処理を実行する装置）であってもよいし、画像形成処理以外の処理を実行する装置であってもよい。
【０１１１】
なお、本発明は、上記実施の形態に限定されるものではなく、本発明の要旨を逸脱しない範囲内において種々の態様で実施することができる。例えば、印刷装置は、ＯＮモード中に停電等により外部電源からの電力供給が停止した場合、当該停止時点での（通常モードまたは省電力モードにおける）待機時間を保持しておき、停電の復旧等により外部電源からの電力供給が再開されたとき、保持されている待機時間から（すなわち保持されている待機時間を初期値として）待機時間の計時（カウント）を開始してもよい。
【符号の説明】
【０１１２】
１，５，８  印刷装置（電子機器）、  ２  上位装置（外部装置）、  ３  外部電源、  １０  処理実行部、  ２０  電力供給部、  ２１  状態保持部、  ２１ａ  電力保持部、  ２１ｂ  自己保持回路、  ２２  スイッチ部、  ２２ａ  スイッチ素子、  ２２ｂ  自己保持回路、  ２３  ＯＮ操作受付部、  ２４  ＯＦＦ操作受付部、  ４０  記憶装置、  ９０  受信部。
【図１】
0005759774.tif 000002
【図２】
0005759774.tif 000003
【図３】
0005759774.tif 000004
【図４】
0005759774.tif 000005
【図５】
0005759774.tif 000006
【図６】
0005759774.tif 000007
【図７】
0005759774.tif 000008
【図８】
0005759774.tif 000009
【図９】
0005759774.tif 000010